(57)【要約】【課題】  サンバイザとして最低限必要な遮光範囲をカバーして、使用者の視認性を悪化させず、かつ視野を狭めることがないメガネ用サンバイザを提供する。【解決手段】  メガネ用サンバイザ１０は、メガネ２０のフロント部２１にて両方のレンズの２２，２３上側の一部を覆う遮光板１１と、遮光板１１をメガネ２０のフロント部２１または両方のレンズ２２，２３に取り付ける支持材１２とを有するように構成したので、遮光板１１は両方のレンズ２２，２３の一部を覆うに過ぎない。これにより、日差し除け機能を十分に発揮できると同時に、左右上下において十分な明視野を確保できる。よって、自動車の運転などでの利便性はきわめて高い。【選択図】図１
2007052180.tif 000002
【特許請求の範囲】
【請求項１】
メガネのフロント部に着脱自在に装着されるメガネ用サンバイザであって、
上記メガネの両方のレンズの上側の一部を、その前方から覆う遮光板と、
この遮光板を、両方のレンズ面から所定距離だけ離れて保持する支持材とを有するメガネ用サンバイザ。
【請求項２】
上記遮光板は横長な略矩形状で、その横幅は、上記メガネのフロント部の幅の１／２〜１／３で、その縦幅は約２ｃｍである請求項１に記載のメガネ用サンバイザ。
【請求項３】
上記遮光板は、上記レンズ面に対してその角度を変更自在とした請求項１または請求項２に記載のメガネ用サンバイザ。
【請求項４】
上記遮光板は、ボールジョイントにより上記支持材に連結された請求項３に記載のメガネ用サンバイザ。
【請求項５】
上記遮光板は、上記レンズの前面に対してその距離を可変とした請求項１〜請求項４のうち、何れか１項に記載のメガネ用サンバイザ。
【請求項６】
上記遮光板はその面積を可変とした請求項１〜請求項５のうち、何れか１項に記載のメガネ用サンバイザ。
【請求項７】
上記遮光板は、その縦幅および横幅の少なくとも一方に伸縮可能な枠体と、この枠体に展張された伸縮シートとを有した請求項６に記載のメガネ用サンバイザ。
【発明の詳細な説明】
【技術分野】
【０００１】
この発明はメガネフレームに取り付けられてメガネの視野を広く維持しながら遮光を効果的に行うメガネ用サンバイザ（日除け、日差し除けまたは遮光板）に関する。
【背景技術】
【０００２】
従来、日差し除けとしては、帽子、サングラスなどが知られている。また、自動車の運転に際しては、可動式サンバイザが知られている。
【０００３】
メガネは、メガネフレームと、メガネフレームに固定された左右一対のレンズとを備えている。
メガネフレームは、それぞれがレンズを保持する一対のレンズ枠と、これらのレンズ枠同士を連結するブリッジと、それぞれが各レンズ枠の外側に折り畳み自在に連結されて耳に引っ掛けられる一対のテンプルとを有している。
ところで、眼鏡について太陽が低く位置する時、例えば早朝、夕暮れなどでは日差し除け具が必要であった。この種の眼鏡用サンバイザとしては特許文献１に記載されたものが知られている。
【０００４】
特許文献１は、眼鏡の前方上側に配置し得るひさし部と、眼鏡のつるに沿って配置し得るようひさし部の両側から延在し、眼鏡のつるが挿入される差し込み孔を備えた取り付け部とにより構成されている。このひさし部は、めがねのレンズの上側からその大半を覆うような湾曲形状を有していた。
【０００５】
【特許文献１】特開２００４−３０９８５４号公報
【発明の開示】
【発明が解決しようとする課題】
【０００６】
このように、従来の眼鏡用サンバイザは、単に眼鏡の上側からレンズを覆うことのみの構成であり、かつ、差し込み孔につる部を挿入していた構成であったため、以下の不具合が生じていた。すなわち、このひさし部がレンズ全体の大半を覆うため、使用者の視野を狭める場合が生じること、また、使用者の視認性を悪化させること、さらに、このサンバイザの着脱に手間が掛かることなどである。
【０００７】
そこで、この発明は、サンバイザとして最低限必要な遮光範囲をカバーして使用者の視認性を悪化させず、かつ視野を狭めることがないメガネ用サンバイザを提供することを目的としている。
この発明は、遮光板の角度変更が容易なメガネ用サンバイザを提供することを目的としている。
この発明は、遮光板の大きさを変更することができるメガネ用サンバイザを提供することを目的としている。
この発明は、簡単な操作でかつ低コストで遮光面積を変更することができるメガネ用サンバイザを提供することを目的としている。
【課題を解決するための手段】
【０００８】
請求項１に記載の発明は、メガネのフロント部に着脱自在に装着されるメガネ用サンバイザであって、上記メガネの両方のレンズの上側の一部を、その前方から覆う遮光板と、この遮光板を、両方のレンズ面から所定距離だけ離れて保持する支持材とを有するメガネ用サンバイザである。
【０００９】
請求項１に記載の発明によれば、遮光板が両方のレンズの一部を覆うに過ぎず、かつ遮光板は両方のレンズ面より前方に突出しているので、日差し除け機能を十分に発揮することができると同時に、左右上下において十分な明視野を確保することができる。よって、車両の運転などでの利便性はきわめて高い。車両運転では太陽光が一方向に固定されることが多いからである。
【００１０】
メガネの構造、大きさ、形状は限定されない。例えば、２つのレンズを有するものでも、左右の眼球用のレンズを連結させた構造のものでもよい。１枚レンズの場合、上述した両方のレンズの上側の一部を覆う遮光板は、レンズのうち、左右の眼球との対峙部分の上側の一部と、読み代えるものとする。
メガネのフロント部は、例えば１対のレンズと、これらを保持する一対のレンズ枠と、両レンズ枠同士を連結するブリッジとを有している。
支持材の素材、大きさ、形状は限定されない。遮光板をメガネのフロント部または両方のレンズに着脱自在に取り付けできればよい。
【００１１】
支持材による遮光板のメガネへの取り付け構造は限定されない。例えば、クリップ方式（弾性的な挟持方式）、貼着（接着）方式、磁着方式などを採用することができる。
両方のレンズ面からの遮光板の距離（各最端距離）は、例えば２〜３ｃｍである。この範囲であれば、メガネの着脱にも支障がなく、メガネの広い視野と良好な遮光機能とを同時に得ることができる。
遮光板とは、光を遮断可能な板状の部材である。
遮光板の素材は限定されない。例えば、各種のプラスチック（ポリプロピレン、ポリエチレン、ポリエチレンテレフタレート、ＡＢＳ樹脂、アクリルなど）、各種の金属、各種のセラミックス、各種の木材などを採用することができる。また、枠体に布帛（織布、不織布、編布など）、紙、合成樹脂シート、皮革などを展張したものでもよい。
【００１２】
両方のレンズの上側の一部とは、各レンズの上部（上半分の領域）であって、かつ光源からの日差しを遮るために必要な最小限の領域を含む部分をいう。
遮光板は、伸縮構造を有してもよいし、そうでないものでもよい。
また、遮光板の前側には、反射塗料をコーティングしてもよい。そうすれば、反射塗料で光が反射し、例えば自動車を運転中の運転者や、離れた場所に立っている第３者に使用者の位置を視認させることができる。反射塗料としては、市販品を採用することができる。
【００１３】
遮光板は、その前面が広告面として利用できるよう平坦に形成することができる。こうすれば、遮光板の前面に、例えば企業や商品の宣伝といった広告を支障なく表示することができる。
広告面には、例えば文字、数字、マーク、模様などの平面的な意匠または立体的な意匠などを表示することができる。
遮光板の裏面には鏡を設けてもよい。こうすれば、使用者は鏡を見ながら主に顔周辺の身だしなみをチェックすることができる。鏡は遮光板に一体的に設けてもよいし、別体で設けてもよい。
【００１４】
請求項２に記載の発明は、上記遮光板は横長な略矩形状で、その横幅は、上記メガネのフロント部の幅の１／２〜１／３で、その縦幅は約２ｃｍである請求項１に記載のメガネ用サンバイザである。
【００１５】
請求項２に記載の発明によれば、この程度の大きさの遮光板であっても、サンバイザとしての遮光機能を十分に果たせるとともに、眼鏡の機能を低下させることもない。
メガネのフロント部の幅とは、メガネを正面視（前方視）したとき、両レンズが連続する方向におけるフロント部の長さをいう。
遮光板の大きさがメガネのフロント部の幅の１／２未満では、遮光板が遮光機能を十分に果たせない。また、遮光板の大きさがフロント部の幅の１／３を超えると、使用者の視界が狭まる。
遮光板の縦幅が約２ｃｍ未満では、遮光板が遮光機能を十分に果たせない。また、２ｃｍを超えると、使用者の視界が狭まる。
【００１６】
請求項３に記載の発明は、上記遮光板は、上記レンズ面に対してその角度を変更自在とした請求項１または請求項２に記載のメガネ用サンバイザである。
【００１７】
請求項３に記載の発明によれば、例えば光の照射方向などに応じて、遮光板の角度を任意に変更することができる。これにより、車両運転時の利便性についてきわめて高い効果が発される。
レンズ面に対する角度とは、レンズ面を基準とした遮光板の傾斜角度をいう。
遮光板の角度を変更自在とする構造は限定されない。例えば、ボールと球面軸受を有したボールジョイント構造、回動軸を有した軸支構造などを採用することができる。
【００１８】
請求項４に記載の発明は、上記遮光板は、ボールジョイントにより上記支持材に連結された請求項３に記載のメガネ用サンバイザである。
【００１９】
請求項５に記載の発明は、上記遮光板は、上記レンズの前面に対してその距離を可変とした請求項１〜請求項４のうち、何れか１項に記載のメガネ用サンバイザである。
レンズの前面と遮光板との距離を変更する構造としては、例えば湾曲自在なアーム構造（針金など）、平行リンク構造（パンタグラフなど）、スライド構造（テレスコピック構造体など）を採用することができる。
【００２０】
請求項６に記載の発明は、上記遮光板はその面積を可変とした請求項１〜請求項５のうち、何れか１項に記載のメガネ用サンバイザである。
【００２１】
請求項６に記載の発明によれば、遮光板の面積を可変としたので、例えばメガネのレンズ面に対する光の照射方向に合わせて、遮光板の大きさ（遮光面積）を変更することができる。
遮光板の面積を可変とする構造は限定されない。例えば、１対の板を遮光板の横幅方向または縦幅方向にスライド自在に設けることができる。また、２対の板を遮光板の横幅方向および縦幅方向にそれぞれスライド自在に設けてもよい。
【００２２】
請求項７に記載の発明は、上記遮光板は、その縦幅および横幅の少なくとも一方に伸縮可能な枠体と、この枠体に展張された伸縮シートとを有した請求項６に記載のメガネ用サンバイザである。
請求項７に記載の発明によれば、例えばメガネのレンズ面に対する光の照射方向に応じて、枠体をその縦幅および横幅の少なくとも一方に引っ張ったり押し縮めて遮光板を伸縮させる。これにより、簡単な伸縮操作でかつ低コストで遮光板の遮光面積を変更することができる。
【００２３】
枠体の伸縮構造は限定されない。例えば、枠体をその長さ方向の所定位置で複数の部分枠体に分割し、互いに隣接する一方の部分枠体と他方部分枠体とをスライド可能に連結した構造などを採用することができる（テレスコピック構造体など）。
伸縮シートの素材は限定されない。例えばゴム糸を有して伸縮自在な布帛（織布、不織布、編布など）、ゴムシートなどを採用することができる。このうち、布帛製の伸縮シートの方が、強風時に遮光板の抵抗が小さくなるので好ましい。これは、遮光板はその面積が大きくなれば風に対する抵抗が増大するが、布帛（特に編布）製の遮光板であれば、遮光板の面積が拡大すると同時に糸と糸との隙間が広がって風通しが良くなるためである。
【発明の効果】
【００２４】
請求項１〜請求項７に記載の発明によれば、日差し除け機能を発揮しつつ、同時に広範囲の視野を確保することができる。メガネに対する着脱性を向上させ、利便性に大なる効果が発揮される。
【００２５】
特に、請求項７および請求項８に記載の発明においては、遮光板の面積を可変とする構造としたので、例えば光の照射方向に合わせて、遮光板の大きさを変更することができる。このうち、請求項８の発明では、枠体を所定方向に引っ張ったり押し縮めたりして遮光板を伸縮させる構成としたので、伸縮操作が簡単でかつ低コストで遮光板の遮光面積を変更することができる。
【発明を実施するための最良の形態】
【００２６】
以下、この発明の実施例を図面を参照して具体的に説明する。
【実施例１】
【００２７】
図１〜図５によりこの発明の実施例１に係るメガネ用サンバイザを説明する。これらの図において示すように、このメガネ用サンバイザ１０は、メガネ２０のフロント部２１に着脱自在に装着される構成である。このメガネ用サンバイザ１０は、メガネ２０のフロント部２１にて両方のレンズ２２，２３の上側の一部を覆う遮光板１１と、この遮光板１１をメガネ２０のフロント部２１または両方のレンズ２２，２３に取り付ける支持材１２とを有して構成されている。
【００２８】
すなわち、図１，図２，図３に示す取付状態で、支持材１２によりフロント部２１のフレームまたはレンズ２２，２３を上から挟み付けることで、このメガネ用サンバイザ１０の遮光板１１はめがね２０に着脱自在に取り付けられているのである。
支持材１２は、特に図４，図５に詳細に示すように、ピン結合により互いに開閉自在に設けられた前側部材１２１（装着状態でレンズ２２，２３のフロント面より前側に突出する部材）と、後側部材１２２（装着状態で前側部材よりも後ろ側に位置することとなる）とを有している。前側部材１２１には、その前方に向かって所定長さだけ突出するアーム１２３の後端が、回動ピン１２３ａを中心にして上下に回動自在に支持されており、このアーム１２３の先端にはボールジョイント構造部１２４により矩形の遮光板１１がボールジョイント結合されている。
【００２９】
前側部材１２１は、水平バー１２５と、この水平バー１２５と一体の矩形平面板からなる押圧板１２６と、水平バー１２５から下方に突出する２本の挟みロッド１２７，１２８で構成されている。これら水平バー１２５、押圧板１２６、挟みロッド１２７，１２８は、例えばプラスチック成形品として一体に形成されている。挟みロッド１２７，１２８同士は押圧板１２６の両側から下方に垂下されている。
【００３０】
後側部材１２２は、前側部材１２１とピン結合されている。後側部材１２２は、押圧板１２６と所定間隔をあけて上方に対向して配置された押圧片１３１と、矩形板の押圧片１３１の両側下端からそれぞれ水平に突出する一対の水平部１３２，１３３と、両水平部１３２，１３３の先端から下方に向かって突出し、かつ挟みロッド１２７，１２８とそれぞれ対をなす挟み片１３４，１３５とを有している。そして、水平部１３２，１３３で前側部材１２１の水平バー１２５とピン結合し、押圧片１３１と押圧板１２６との間には垂直断面が略横Ｕ字形状のＵ字バネ１３６が介設されている。このプラスチックのＵ字バネ１３６が弾性変形することで、挟みロッド１２７，１２８と挟み片１３４，１３５との間でレンズ２２，２３を挟み付けることができる。
【００３１】
遮光板１１は略矩形で、その横幅は、メガネ２２のフロント部２１の幅の１／２〜１／３であり（ここでは１／２）、その縦幅は略２ｃｍである。また、遮光板１１は略矩形状でブリッジ部分から前方に所定距離（３〜６ｃｍ）だけ突出して設けられ、レンズ面に対して遮光板１１はその角度を変更自在となっている。また、遮光板１１は、例えばアーム１２３を伸縮自在な２重管構造に変更するなどして、メガネ２０のレンズ２２，２３の前面に対してその距離を可変とすることができる。
さらに、遮光板１１は、軽い材料であるプラスチック（ここではポリプロピレン）で形成されている。その前面には、光を反射する反射塗料をコーティングしてもよい。または、遮光板１１には蛍光塗料をコーティングしてもよい。これにより、遮光板１１の光の反射性および装飾性を高めることができる。
【００３２】
なお、遮光板１１はボールジョイント構造部１２４によりブリッジ部分に連結されているが、上下方向にのみ回動自在にピン結合してもよい。
遮光板１１は、その前面が広告面として利用できるように平坦に形成されている。そのため、遮光板１１の前面にロゴなどを印刷などして配置することができる。
遮光板１１の裏面には鏡を設けてもよい。そうすれば、使用者は鏡を見ながら例えば顔周辺の身だしなみをチェックすることができる。
また、遮光板１１には、前方を撮影可能なカメラ（カメラのレンズ部分）を設けてもよい。あるいは照明ライトだけを設けてもよい。
【００３３】
また、遮光板１１は太陽光を追尾してその角度を変更するか、太陽光源の位置を検知し、これに対して遮光板１１を回動させるような機構を有したものとしてもよい。
さらに、遮光板１１をよろい戸構造としてもよい。
そして、遮光板１１はその面積を可変とする構造に変更してもよい。具体的には、横幅方向に長い長孔１１ａがそれぞれ形成された２枚の矩形板１１を重ね合わせ、これらを略正方形状のベース板１４０の前側に、遮光板１１の横幅方向に離間した１対のスライドピン１４１を介してスライド自在に取り付けるように構成してもよい（図６）。
また、その他のスライド構造として、例えば、薄くて横長な矩形状のスライドガイド角筒１５０の両端の開口部から、対向する端面同士を突き合わせた両遮光板１１をそれぞれ出し入れ可能に構成してもよい（図７）。
【００３４】
この実施例１では、メガネ用サンバイザ１０をメガネ２０に装着して例えば自動車の運転をする際、遮光板１１の位置を調整することで太陽光の直射を避けることができる。同時に、レンズ２２，２３を通して広く視野を確保することができる。その場合、遮光板１１は上方前方に所定距離だけ突出しているため、その視野の妨げとはならないとともに、視野の明るさも十分に確保される。また、メガネ用サンバイザ１０が不要な場合、例えば夜間や、昼間でも正午前後の太陽が真上に位置するときなどは、メガネ用サンバイザ１０をメガネ２０から取り外すか、遮光板１１の位置をずらすことで対処することができる。
【実施例２】
【００３５】
図８は、この発明に係るメガネ用サンバイザの実施例２を示す。
実施例２のメガネ用サンバイザ１０Ａでは遮光板１１を、ボールジョイント構造ではなく、２本のアーム２０１，２０２を介して眼鏡２０に対して上下方向に揺動自在としたものである。すなわち、アーム２０１，２０２の基端部が支持材１２の固定部２０３に対して揺動自在に支持されており、それらの先端部に遮光板１１が固定されているのである。遮光板１１は矩形であって、各アーム２０１，２０２の長さ方向とほぼ直交するよう、すなわちレンズ面とほぼ平行となるよう配設されている。
【００３６】
また、実施例２では、実施例１のＵ字バネ１３６に代えて、１対のコイルばね１３６Ａを採用している。各コイルばね１３６Ａの一端部は前側部材１２１の表側（上側）に掛止され、各コイルばね１３６Ａの他端部は押圧片１３１の内側に形成されている。
その他の構成は実施例１と同じであり、また作用についてもドライブ時にメガネ２０に装着して低い太陽光を遮光板１１で遮蔽する点についても同様である。また、その効果についても太陽光の遮蔽と視野の確保とを両立できる点でも同じである。さらに、遮光板１１の前面は広告などの表示欄として機能させることができる点も同じである。
【実施例３】
【００３７】
図９および図１０は、この発明に係るメガネ用サンバイザの実施例３を示す。
実施例３のメガネ用サンバイザ１０Ｂでは、実施例１の遮光板１１に代えて、その縦幅および横幅に伸縮可能な枠体１６０と、枠体１６０に展張された伸縮シート１６１とを有した構造とすることで、面積を可変とした遮光板１１Ａを採用している。
【００３８】
遮光板１１Ａは、厚肉で横長な矩形状のベース板１６２を本体とし、このベース板１６２の後側の中央部にボールジョイント構造部１２４の一部が連結されている。ベース板１６２のうち、両横幅の端面側の中央部および両縦幅の端面側の中央部には、ベース板１６２の中心部に向かって延長された短尺な１対の軸孔１６２ａと長尺な１対の軸孔１６２ｂとが、略十字形状に形成されている。
枠体１６０は、遮光板１１Ａの横方向に長い１対の横管１６３と、遮光板１１Ａの縦方向に長い縦管１６４と、隣接する横管１６３と縦管１６４との各突き合わせ側の端部に、対応するロッド端部が若干の抵抗を受けながら出し入れ可能にそれぞれ圧入されるＬ字形の４本のスライドロッド６５とを有している。
【００３９】
両横管１６３の長さ方向の中間部の内側には、短尺なスライド軸１６６の先端部がそれぞれ固着されている。一方、両縦管１６４の長さ方向の中間部の内側には、長尺なスライド軸１６７の先端部がそれぞれ固着されている。このうち、短尺な両スライド軸１６６の元部は、両縦軸孔１６２ａに若干の抵抗が作用されながらスライド可能にそれぞれ圧入されている。また、長尺な両スライド軸１６７の元部は、両軸孔１６２ｂに若干の抵抗が作用されながらそれぞれスライド可能に圧入されている。
前記伸縮シート１６１はゴム糸を密に編んだ横長な編み布で、その外周部の全域には略矩形状を有した筒部１６１ａが、枠体１６０を収納して縫製されている。
【００４０】
収縮状態の遮光板１１Ａ（図９）の伸長時には、まず、例えば光の照射方向に応じて遮光板１１Ａを拡張（伸長）させたい方向に配置された両横管１６３または両縦管１６４を握る。その後、これらの部分を、伸縮シート１６１とともに各対応する方向（縦幅方向、横幅方向またはこれらの両方向）に引っ張る。これにより、対応するスライド軸１６６，１６７の一部が軸孔１６２ａ，１６２ｂから引き出されるとともに、対応するスライドロッド６５の一部が横管１６３または縦管１６４から若干引き出されることで、遮光板１１Ａが拡張される（図１０）。
【００４１】
遮光板１１Ａの収縮時には、上述した作業を反対に行う。このような簡単な操作でしかも低コストで遮光面積を変更することができる。
また、遮光板１１Ａの伸縮操作は、例えば図９の二点鎖線の矢印に示すように、遮光板１１Ａの一方の対角線上に配置された両スライドロッド６５を、この対角線に沿って同時に移動させるようにしても行うことができる。
その他の構成、作用および効果は、実施例１から推測可能な範囲であるので、説明を省略する。
【図面の簡単な説明】
【００４２】
【図１】この発明の実施例１に係るメガネ用サンバイザの使用状態を示す斜視図である。
【図２】この発明の実施例１に係るメガネ用サンバイザの使用状態を示す正面図である。
【図３】この発明の実施例１に係るメガネ用サンバイザの使用状態を示す側面図である。
【図４】この発明の実施例１に係るメガネ用サンバイザの側面図である。
【図５】この発明の実施例１に係るメガネ用サンバイザの正面図である。
【図６】この発明の実施例１に係る他のメガネ用サンバイザの使用状態を示す斜視図である。
【図７】この発明の実施例１に係る別のメガネ用サンバイザの要部斜視図である。
【図８】この発明の実施例２に係るメガネ用サンバイザの使用状態を示す斜視図である。
【図９】この発明の実施例３に係るメガネ用サンバイザの遮光板の収縮状態を示す一部断面図を含む正面図である。
【図１０】この発明の実施例３に係るメガネ用サンバイザの遮光板の拡張状態を示す一部断面図を含む正面図である。
【符号の説明】
【００４３】
１０，１０Ａ，１０Ｂ  メガネ用サンバイザ、
１１  遮光板、
１２  支持材、
２０  メガネ、
２１  フロント部、
２２，２３  レンズ、
１２４  ボールジョイント構造部、
１６０  枠体、
１６１  伸縮シート。
【図１】
2007052180.tif 000003
【図２】
2007052180.tif 000004
【図３】
2007052180.tif 000005
【図４】
2007052180.tif 000006
【図５】
2007052180.tif 000007
【図６】
2007052180.tif 000008
【図７】
2007052180.tif 000009
【図８】
2007052180.tif 000010
【図９】
2007052180.tif 000011
【図１０】
2007052180.tif 000012